(57)【要約】【課題】  テープ回収ケースを装着部から取り外すことなく、該テープ回収ケース内に堆積した回収テープを容易に取り出すことができるテープ式部品供給装置を提供する。【解決手段】  トップテープと収容テープを剥離し、収容テープ側に収容されたチップ状電子部品を部品搭載装置の作業ヘッドに供給するテープ式部品供給装置において、先端部及び後端部１０ｂが開口する箱状体であり、装置本体の装着部１３２に着脱自在に装着され、剥離されたトップテープを収容するテープ回収ケース１０と、該テープ回収ケース１０内に堆積したトップテープを掻き出すための鉤状の先端部１２ａを有する棒部材１２とを備えた構成としてある。【選択図】      図２
2006261231.tif 000002
【特許請求の範囲】
【請求項１】
トップテープと収容テープを剥離し、前記収容テープ側に収容されたチップ状電子部品を部品搭載装置の作業ヘッドに供給するテープ式部品供給装置において、
先端部及び後端部が開口する箱状体であり、装置本体の装着部に着脱自在に装着され、剥離された前記トップテープを収容するテープ回収ケースと、該テープ回収ケース内に堆積した前記トップテープを掻き出すための鉤状の先端部を有する棒部材とを備えたことを特徴とするテープ式部品供給装置。
【請求項２】
前記テープ回収ケースの後端部開口を塞ぐ着脱自在な蓋体に、前記棒部材の後端部を固定したことを特徴とする請求項１記載のテープ式部品供給装置。
【請求項３】
トップテープと収容テープを剥離し、前記収容テープ側に収容されたチップ状電子部品を部品搭載装置の作業ヘッドに供給するテープ式部品供給装置において、
先端部及び後端部が開口する箱状体であり、装置本体の装着部に着脱自在に装着された外箱と、先端部が開口する抽斗形の箱状体であり、前記外箱内に摺動自在に装着され、剥離された前記トップテープを収容する内箱とを有するテープ回収ケースを備えたことを特徴とするテープ式部品供給装置。
【請求項４】
前記テープ回収ケースの内箱の先端部に、前記トップテープの流入を妨げることなく、該内箱内に堆積した前記トップテープが先端部開口から流出することを阻止する逆戻り防止部を設けたことを特徴とする請求項３記載のテープ式部品供給装置。
【請求項５】
前記テープ回収ケースの内箱の逆戻り防止部を、前記内箱の先端部開口付近に突設した壁部としたことを特徴とする請求項４記載のテープ式部品供給装置。
【請求項６】
前記テープ回収ケースの内箱の逆戻り防止部を、前記内箱の先端部開口付近に突設した複数の突起部としたことを特徴とする請求項４記載のテープ式部品供給装置。
【発明の詳細な説明】
【技術分野】
【０００１】
本発明は、チップ状電子部品をチップマウンターに供給するテープ式部品供給装置に関する。
【背景技術】
【０００２】
図７はチップマウンターの主要部を示す斜視図である。同図において、チップマウンター１００は、プリント基板１０１の搬送手段１１０の両側にフィーダーベース（ベースユニット）１２０を配設するとともに、該フィーダーベース１２０の外側に多数のテープ式部品供給装置１３０，１３０…及びＩＣ供給装置１４０等の生産ライン構成機器を配設し、ヘッド１５０によって、これらテープ式部品供給装置１３０及びＩＣ供給装置１４０から部品を吸着し、プリント基板１０１上の所定位置に搭載する構成となっている。
【０００３】
ここで、テープ式部品供給装置１３０は、エアー駆動式となっており、内部に配索されたエアー配管に正の圧力がかかることにより間欠的に部品を送り出す。一方、フィーダーベース１２０には、エアー供給路である多数のマニホールド１２１，１２１…が形成してあり、各マニホールド１２１の一端は、図示しないコンプレッサ等のエアー供給源に接続してある。
【０００４】
ガイド溝１２２に沿ってテープ式部品供給装置１３０をフィーダーベース１２０に取り付けると、該テープ式部品供給装置１３０の前記エアー配管が、マニホールド１２１他端のポートに接続され、該テープ式部品供給装置１３０のエアー駆動が可能となる。また、フィーダーベース１２０の各マニホールド１２１内には、図示しないバルブがそれぞれ内蔵してあり、各バルブを開閉制御することにより、所定のテープ式部品供給装置１３０を間欠動作させている。
【０００５】
テープ式部品供給装置（テープフィーダー）１３０の後方下部には、リール式カートリッジ１３１が着脱自在に保持してある。また、テープ式部品供給装置１３０の手前側面の上部には、二本のガイドレールからなる回収ケース装着部１３２が配設してある。該回収ケース装着部１３２には、その後方から、テープ回収ケース１３３が二本のガイドレールに沿って装着してある。回収ケース装着部１３２の一方の端部近傍（図７中の点線で囲った部分を参照）には、図８に示すように、装置本体に回転可能に取り付けた一対の回収テープ搬送回転部材１３４，１３４が配置してある。テープ回収ケース１３３を回収ケース装着部１３２に装着すると、その開口部（図の右方の端部）に回収テープ搬送回転部材１３４，１３４に係合する。
【０００６】
テープ式部品供給装置１３０の前端（図の右端）には、チップ状電子部品の供給口１３５が形成してある。リール式カートリッジ１３１から供給口１３５まで引き出され、該供給口１３５で上下に剥離されてチップ状電子部品を部品搭載装置の作業ヘッドに供給した後、供給テープ１３１ａは自重で下方に落下して堆積し、トップテープ１３１ｂは後方に折返してガイドローラに案内され、一対の回収テープ搬送回転部材１３４，１３４に噛み込まれて挟持され、テープ回収ケース１３３内に送り込まれて回収される。
【０００７】
トップテープ１３１ｂが回収テープ搬送回転部材１３４，１３４により強制的に一定速度で搬送されることにより、リール式カートリッジ１３１から、供給テープ１３１ａが一定速度で引き出され、供給口１３５に安定したタイミングでチップ状電子部品が供給される。
【０００８】
やがて、テープ回収ケース１３３が回収テープ１３１ｂ−１で満杯になると、オペレータ（作業者）が回収ケース装着部１３２からテープ回収ケース１３３を後方に引き抜いて、交換用の空のテープ回収ケース１３３を回収ケース装着部１３２に装着する。
【特許文献１】特開２００４−３４２６９９号公報
【特許文献２】特開２００４−３１１６８８号公報
【特許文献３】特開２００３−７８２８４号公報
【特許文献４】特開２００３−６０３９１号公報
【特許文献５】特開２００３−６０３９０号公報
【特許文献６】特開２００３−６０３８９号公報
【特許文献７】特開２００２−２４６７９０号公報
【特許文献８】特開２００２−２４６７８９号公報
【発明の開示】
【発明が解決しようとする課題】
【０００９】
ところが、上述した従来のテープ式部品供給装置１３０では、横幅の狭いテープ回収ケース１３３を長尺にして容量を増大しようとすると、該テープ回収ケース１３３内に堆積した回収テープ１３１ｂ−１を取り出すことが困難になるという問題があった。特に、粘着性を有する回収テープ１３１ｂ−１は、回収テープ搬送回転部材１３４，１３４の付近に溜まりやすく、長尺で奥行きのあるテープ回収ケース１３３では、堆積した回収テープ１３１ｂ−１の取り出しが困難であった。
【００１０】
このため、本出願人は、特開２００３−６０３８９号（引用文献６）において、図９に示すような開き蓋を有するテープ回収ケースを提案している。同図において、テープ回収ケース２００は、長尺のケース本体２０１に、同じく長尺の開き蓋２０２を、支軸２０３を介して回動自在に取り付けた構成としてある。このような構成によれば、開き蓋２０２を開くことにより、横幅の狭い長尺のテープ回収ケース２００から容易に回収テープ２０４を取り出すことができる。
【００１１】
しかし、このようなテープ回収ケース２００では、図示しない二本のガイドレールからなる回収ケース装着部から、該テープ回収ケース２００を取り外して、長尺の開き蓋２０２を開く必要があり、該テープ回収ケース２００を前記回収ケース装着部に装着した状態で回収テープ２０４を取り出すことができないという事情があった。
【００１２】
本発明は、上記問題点及び事情に鑑みてなされたものであり、テープ回収ケースを装着部から取り外すことなく、該テープ回収ケース内に堆積した回収テープを容易に取り出すことができるテープ式部品供給装置の提供を目的とする。
【課題を解決するための手段】
【００１３】
上記目的を達成するために、第１の本発明に係るテープ式部品供給装置は、トップテープと収容テープを剥離し、前記収容テープ側に収容されたチップ状電子部品を部品搭載装置の作業ヘッドに供給するテープ式部品供給装置において、先端部及び後端部が開口する箱状体であり、装置本体の装着部に着脱自在に装着され、剥離された前記トップテープを収容するテープ回収ケースと、該テープ回収ケース内に堆積した前記トップテープを掻き出すための鉤状の先端部を有する棒部材とを備えた構成としてある。好ましくは、前記テープ回収ケースの後端部開口を塞ぐ着脱自在な蓋体に、前記棒部材の後端部を固定した構成とする。
【００１４】
また、上記目的を達成するために、第２の本発明に係るテープ式部品供給装置は、トップテープと収容テープを剥離し、前記収容テープ側に収容されたチップ状電子部品を部品搭載装置の作業ヘッドに供給するテープ式部品供給装置において、先端部及び後端部が開口する箱状体であり、装置本体の装着部に着脱自在に装着された外箱と、先端部が開口する抽斗形の箱状体であり、前記外箱内に摺動自在に装着され、剥離された前記トップテープを収容する内箱とを有するテープ回収ケースを備えた構成としてある。
【００１５】
好ましくは、前記テープ回収ケースの内箱の先端部に、前記トップテープの流入を妨げることなく、該内箱内に堆積した前記トップテープが先端部開口から流出することを阻止する逆戻り防止部を設けた構成とする。より好ましくは、前記テープ回収ケースの内箱の逆戻り防止部を、前記内箱の先端部開口付近に突設した壁部とし、又は、前記テープ回収ケースの内箱の逆戻り防止部を、前記内箱の先端部開口付近に突設した複数の突起部とした構成とする。
【発明の効果】
【００１６】
上記構成からなる第１の本発明のテープ式部品供給装置によれば、横幅の狭いテープ回収ケースを長尺にして容量を増大した場合でも、鉤状の先端部を有する棒部材によって、テープ回収ケースを装着部から取り外すことなく、該テープ回収ケース内に堆積したトップテープ（回収テープ）を容易に取り出すことができる。
【００１７】
また、前記テープ回収ケースの後端部開口を塞ぐ着脱自在な蓋体に、前記棒部材の後端部を固定した構成とした場合は、該蓋体とともに前記棒部材を前記テープ回収ケースから引き出すことにより、該テープ回収ケース内に堆積したトップテープを容易に取り出すことができる。なお、前記棒部材をテープ回収ケース内に収納することができるので、該棒部材の管理が容易になる。
【００１８】
一方、上記構成からなる第２の本発明のテープ式部品供給装置によれば、テープ回収ケースを構成する抽斗形の内箱を外箱から引き出すことによって、前記テープ回収ケースを装着部から取り外すことなく、該内箱内に堆積したトップテープを容易に取り出すことができる。
【００１９】
また、前記テープ回収ケースの内箱の先端部に、壁部又は突起部等の逆戻り防止部を設けた場合は、該内箱を引き出したときに、該内箱内に回収されたトップテープが逆戻り防止部に拘束され、該内箱の先端部開口から前記トップテープが流出することを阻止することができる。
【発明を実施するための最良の形態】
【００２０】
以下、本発明の実施形態に係るテープ式部品供給装置について、図面を参照しつつ説明する。まず、図１及び図２を参照しつつ、本発明の第１実施形態に係るテープ式部品供給装置について説明する。図１は本発明の第１実施形態に係るテープ式部品供給装置を示す斜視図である。図２は本テープ式部品供給装置のテープ回収ケースの要部を示す拡大図である。なお、これら図面において、従来と同様の箇所については同一符号を付して詳細な説明は省略する。
【００２１】
図１において、本実施形態のテープ式部品供給装置１は、従来と同様に、その後方下部に、リール式カートリッジ１３１が着脱自在に保持してあり、また、その手前側面の上部に、二本のガイドレールからなる回収ケース装着部１３２が配設してある。該回収ケース装着部１３２には、テープ回収ケース１０が二本のガイドレールに沿って着脱自在に装着してある。
【００２２】
また、図示しないが、回収ケース装着部１３２の先端部近傍には、図８と同様の一対の回収テープ搬送回転部材１３４，１３４が配置してあり、供給テープ１３１ａから剥離されたトップテープ１３１ｂが、テープ回収ケース１０内に送り込まれて回収されるようになっている。
【００２３】
ここで、本実施形態に係るテープ回収ケース１０は、図１及び図２に示すように、先端部１０ａ及び後端部１０ｂが開口する矩形の箱状体となっている。該テープ回収ケース１０は、横幅を狭くして薄型化を図るとともに、全長を前後方向に長尺とすることによって容量増大を図っている。該テープ回収ケース１０の後端部１０ｂの開口には、一対の突起１１ａ，１１ａを介して蓋体１１が回動自在に枢着してある。
【００２４】
また、図２に示す符号１２は、テープ回収ケース１０に別個独立に付属する棒部材である。該棒部材１２は、合成樹脂の一体成形、又は金属の打ち抜き等により製造した長尺の薄板状部材であり、テープ回収ケース１０内に堆積したトップテープ１３１ｂ（図８の回収テープ１３１ｂ−１参照）を掻き出すための鉤状先端部１２ａを有している。好ましくは、該棒部材１２を、オペレータの把持部となる長さに、テープ回収ケース１０の全長を加えた長さとする。
【００２５】
上記構成からなる本実施形態のテープ式部品供給装置１では、テープ回収ケース１０がトップテープ１３１ｂで満杯になると、オペレータがテープ回収ケース１０の蓋体１１を開き、該テープ回収ケース１０内に棒部材１２を挿入する。そして、該棒部材１２の鉤状先端部１２ａを、テープ回収ケース１０の先端部１０ａ側に堆積したトップテープ１３１ｂに引っ掛けて、全てのトップテープ１３１ｂをテープ回収ケース１０から取り出す。
【００２６】
このような本実施形態のテープ式部品供給装置１によれば、横幅の狭いテープ回収ケース１０を長尺にして容量を増大した場合でも、鉤状先端部１２ａを有する棒部材１２によって、テープ回収ケース１０を回収ケース装着部１３２から取り外すことなく、該テープ回収ケース１０内に堆積したトップテープ１３１ｂを容易に取り出すことができる。
【００２７】
また、テープ回収ケース１０を回収ケース装着部１３２から取り外すことがなく、堆積したトップテープ１３１ｂを取り出すことができるので、オペレータが回収ケース装着部１３２からテープ回収ケース１０を後方に引き抜いて、交換用の空のテープ回収ケース１０を回収ケース装着部１３２に装着する手間も省くことができる。
【００２８】
次に、本発明の第２実施形態に係るテープ式部品供給装置について、図３を参照しつつ説明する。図３は本発明の第２実施形態に係るテープ式部品供給装置のテープ回収ケースの要部を示す拡大図である。なお、上述した第１実施形態と同様の箇所については同一符号を付して詳細な説明は省略する。
【００２９】
同図において、本実施形態では、テープ回収ケース１０の後端部１０ｂ開口を塞ぐ着脱自在な蓋体１３に、棒部材１２の後端部１２ｂを固定して両者を一体化した構成としてある。このような構成によれば、蓋体１３とともに棒部材１２をテープ回収ケース１０内から引き出すことにより、該テープ回収ケース１０内に堆積したトップテープ１３１ｂ（図１及び図８参照）を容易に取り出すことができる。また、棒部材１２をテープ回収ケース１０内に収納することができるので、該棒部材１２の管理が容易になる。さらに、蓋体１３をオペレータの把持部として活用することができるので、棒部材１２において把持部のための長さを確保する必要がなくなり、該棒部材１２の全長を短くすることができる。
【００３０】
次に、本発明の第３実施形態に係るテープ式部品供給装置について、図４を参照しつつ説明する。図４は本発明の第３実施形態に係るテープ式部品供給装置のテープ回収ケースの要部を示す拡大図である。なお、上述した第１及び第２実施形態と同様の箇所については同一符号を付して詳細な説明は省略する。
【００３１】
同図において、本実施形態では、テープ回収ケース２０を筒状の外箱２１と抽斗状の内箱２２とで形成した構成としてある。外箱２１は、先端部及び後端部２１ｂが開口する矩形の箱状体となっており、横幅を狭くするとともに、全長を前後方向に長尺としている。一方、内箱２２は、矩形の基板２２ａの先端部２２ｂを除く三辺に側壁２２ｃ，２２ｄ，２２ｅを立設した構成としてある。
【００３２】
外箱２１は、二本のガイドレールに沿って回収ケース装着部１３２に着脱自在に装着してあり、該外箱２１内に内箱２２が摺動自在に装着してある。図示しないが、回収ケース装着部１３２に装着した状態では、これら外箱２１と内箱２２の各先端部開口が、前記回収テープ搬送回転部材１３４，１３４の下流側に位置し、剥離されたトップテープ１３１ｂが内箱２２内に送り込まれるようになっている。
【００３３】
このような本実施形態のテープ式部品供給装置によれば、テープ回収ケース２０を構成する抽斗状の内箱２２を外箱２１から引き出すことによって、テープ回収ケース２０（外箱２１）を回収ケース装着部１３２から取り外すことなく、該内箱２２内に堆積したトップテープ１３１ｂを容易に取り出すことができる。
【００３４】
また、テープ回収ケース２０を回収ケース装着部１３２から取り外すことがなく、堆積したトップテープ１３１ｂを取り出すことができるので、オペレータが回収ケース装着部１３２からテープ回収ケース２０を後方に引き抜いて、交換用の空のテープ回収ケース２０を回収ケース装着部１３２に装着する手間も省くことができる。
【００３５】
次に、本発明の第４実施形態に係るテープ式部品供給装置について、図５を参照しつつ説明する。図５は本発明の第４実施形態に係るテープ式部品供給装置のテープ回収ケースの要部を示す拡大図である。なお、上述した第１〜第３実施形態と同様の箇所については同一符号を付して詳細な説明は省略する。
【００３６】
同図において、本実施形態では、上記第３実施形態と同様に、テープ回収ケース２０を筒状の外箱２１と抽斗状の内箱２２とで形成した構成としてあり、内箱２２の先端部２２ｂ側に、一対の壁部（逆戻り防止部）２３，２３を設けた構成としてある。各壁部２３は、それぞれ図８に示す一対の回収テープ搬送回転部材１３４，１３４と干渉しない円弧状としてあり、これら壁部２３，２３の相互間から内箱２２内に、剥離されたトップテープ１３１ｂが送り込まれるようになっている。
【００３７】
このような本実施形態のテープ式部品供給装置によれば、テープ回収ケース２０を構成する抽斗状の内箱２２を外箱２１から引き出したときに、該内箱２２内に回収されたトップテープ１３１ｂが各壁部２３に拘束され、該内箱２２の先端部２２ｂ開口からトップテープ１３１ｂが流出することを阻止することができる。これによって、該内箱２２内に堆積したトップテープ１３１ｂをより容易に取り出すことができる。
【００３８】
次に、本発明の第５実施形態に係るテープ式部品供給装置について、図６を参照しつつ説明する。図６は本発明の第５実施形態に係るテープ式部品供給装置のテープ回収ケースの要部を示す拡大図である。なお、上述した第１〜第３実施形態と同様の箇所については同一符号を付して詳細な説明は省略する。
【００３９】
同図において、本実施形態では、上記第３実施形態と同様に、テープ回収ケース２０を筒状の外箱２１と抽斗状の内箱２２とで形成した構成としてあり、内箱２２の先端部２２ｂ側に、複数の四角錐状の突起部（逆戻り防止部）２４，２４，２４を設けた構成としてある。各突起部２４は、図８に示す一対の回収テープ搬送回転部材１３４，１３４と干渉しない位置に突設してあり、その高さを各回収テープ搬送回転部材１３４の肉厚よりも低くしてある。また、各突起部２４は、合成樹脂製又は金属製の内箱２２の基板２２ａに一体成形してもよいし、接着又はねじ止め等により別途固定してもよい。
【００４０】
このような本実施形態のテープ式部品供給装置によれば、テープ回収ケース２０を構成する抽斗状の内箱２２を外箱２１から引き出したときに、該内箱２２内に回収されたトップテープ１３１ｂが各突起部２４に拘束され、該内箱２２の先端部２２ｂ開口からトップテープ１３１ｂが流出することを阻止することができる。これによって、該内箱２２内に堆積したトップテープ１３１ｂをより容易に取り出すことができる。
【００４１】
なお、内箱２２に設ける逆戻り防止部は、上述した第４又は第５実施形態のような壁部２３又は突起部２４に限らず、例えば、細長いピン状部材や内箱２２後方を向く鉤状部材を、内箱２２の先端部２２ｂ側に複数本立設した構成としてもよい。
【図面の簡単な説明】
【００４２】
【図１】本発明の第１実施形態に係るテープ式部品供給装置を示す斜視図である。
【図２】本テープ式部品供給装置のテープ回収ケースの要部を示す拡大図である。
【図３】本発明の第２実施形態に係るテープ式部品供給装置のテープ回収ケースの要部を示す拡大図である。
【図４】本発明の第３実施形態に係るテープ式部品供給装置のテープ回収ケースの要部を示す拡大図である。
【図５】本発明の第４実施形態に係るテープ式部品供給装置のテープ回収ケースの要部を示す拡大図である。
【図６】本発明の第５実施形態に係るテープ式部品供給装置のテープ回収ケースの要部を示す拡大図である。
【図７】チップマウンターの主要部を示す斜視図である。
【図８】従来のテープ式部品供給装置の回収テープ搬送回転部材を示す部分拡大図である。
【図９】特開２００３−６０３８９号のテープ式部品供給装置を構成するテープ回収ケースを示す斜視図である。
【符号の説明】
【００４３】
１  テープ式部品供給装置
１０  テープ回収ケース
１０ａ  先端部
１０ｂ  後端部
１１，１３  蓋体
１２  棒部材
１２ａ  鉤状先端部
１２ｂ  後端部
２０  テープ回収ケース
２１  外箱
２１  後端部
２２  内箱
２２ａ  基板
２２ｂ  先端部
２２ｃ，２２ｄ，２２ｅ  側壁
２３  壁部（逆戻り防止部）
２４  突起部（逆戻り防止部）
１３１  リール式カートリッジ
１３１ａ  供給テープ
１３１ｂ  トップテープ
１３２  回収ケース装着部
１３４  回収テープ搬送回転部材
１３５  供給口
【図１】
2006261231.tif 000003
【図２】
2006261231.tif 000004
【図３】
2006261231.tif 000005
【図４】
2006261231.tif 000006
【図５】
2006261231.tif 000007
【図６】
2006261231.tif 000008
【図８】
2006261231.tif 000009
【図９】
2006261231.tif 000010
【図７】
2006261231.tif 000011